(57)【要約】【課題】  引き綱にリング等を装着しなければ、汚物収納部を連結することができなかった。【解決手段】  上方は開閉自在な開閉部２１が設けられるとともに下方が閉塞された収納袋２２と、この収納袋２２の上方には一端が折り曲げ自在に装着された連結部２７と、この連結部２７の他端に狭着自在に設けられた狭着部２８を有するものである。  これにより、所期のも目的を達成することができる。【選択図】図１
2007312755.tif 000002
【特許請求の範囲】
【請求項１】
上方は開閉自在な開閉部が設けられるとともに下方が閉塞された収納部と、この収納部の上方には一端が折り曲げ自在に装着された連結部と、この連結部の他端に狭着自在に設けられた狭着部を有する汚物収納具。
【請求項２】
収納部は、布又は柔軟な合成繊維で形成されるとともに、略四角形をした収納袋と、この収納袋の上方に設けられた紐挿通部と、この紐挿通部に摺動自在に挿通された紐が設けられた請求項１に記載の汚物収納具。
【請求項３】
紐挿通部には、輪形状の紐が２本挿通されるとともに、収納袋の上方両端に取手が設けられた請求項２に記載の汚物収納具。
【請求項４】
紐挿通部には１本の紐が挿通されるとともに、この紐の両端には前記紐挿通部への侵入を防止する侵入防止部材が装着された請求項２に記載の汚物収納具。
【請求項５】
紐挿通部には、輪形状の紐が１本挿通されるとともに、この輪の大きさを可変する紐止め部材が前記輪に挿通された請求項２に記載の汚物収納具。
【請求項６】
収納部は、硬質部材で形成された請求項１に記載の汚物収納具。
【発明の詳細な説明】
【技術分野】
【０００１】  本発明は、犬の散歩時等に使用される汚物収納具に関するものである。
【背景技術】
【０００２】  以下、従来の汚物収納具について説明する。ここでは、汚物収納具の一例としての犬の糞収納具について説明する。従来の糞収納具は、図８に示すような構成となっていた。即ち、リング１が装着された引き綱２と、フック３が装着された糞収納袋４とで構成されており、前記フック３をリング１に係止して使用するものであった。【０００３】  即ち、図９に示すように、散歩者５は、引き綱２の一方の端に装着された係止部６を、犬７の首輪８に係着させ、他方の端に設けられた輪９を持って散歩をしていた。【０００４】  なお、この出願の発明に関連する先行技術文献情報としては、例えば、特許文献１が知られている。
【特許文献１】  特開２００４−２２２６９１号公報
【発明の開示】
【発明が解決しようとする課題】
【０００５】    しかしながらこのような糞収納具では、引き綱２にリング１を装着したものを用いなければならず、引き綱２としては必ず被狭着部としてのリング１を装着したものでなければ使用することはできなかった。【０００６】  本発明は、このような問題を解決したもので、引き綱の被狭着部に何ら手を加えることなく、どのような引き綱であってもそのまま使用することができる汚物収納具を提供することを目的としたものである。
【課題を解決するための手段】
【０００７】  この目的を達成するために本発明の汚物収納具は、上方は開閉自在な開閉部が設けられるとともに下方が閉塞された収納部と、この収納部の上方には一端が折り曲げ自在に装着された連結部と、この連結部の他端に狭着自在に設けられた狭着部を有するものである。これにより、所期の目的を達成することができる。
【発明の効果】
【０００８】  以上のように本発明によれば、上方は開閉自在な開閉部が設けられるとともに下方が閉塞された収納部と、この収納部の上方には一端が折り曲げ自在に装着された連結部と、この連結部の他端に狭着自在に設けられた狭着部を有するものであり、狭着自在に設けられた狭着部を有しているので、この狭着部で被狭着部を狭着することができる。従って、どのような引き綱であっても何ら手を加えることなく使用することができる。【０００９】  また、狭着部は狭着自在に設けられているので、例えば、引き綱等のどの部分にでも狭着することができる。従って、散歩者が大人であっても、子供であってもその身長に合った部位に汚物収納具を吊着することができる。従って、大人・子供を問わず自然なスタイルで散歩をすることができる。【００１０】  更に、連結部は折り曲げ自在に形成されているので、狭着部を折り曲げることにより被狭着部へ容易に狭着することができる。
【発明を実施するための最良の形態】
【００１１】    （実施の形態１）
以下、図面に基づいて本発明の汚物収納具について説明する。図１は、本実施の形態における犬の糞収納袋（汚物収納具の一例として用いた）２０の正面図である。図１において、２２は柔らかい布で形成された収納袋（収納部の一例として用いた）である。本実施も形態における収納袋２２は、縦・横の寸法が夫々１４ｃｍの正方形をしている。しかし、この寸法は、収納するものに応じて適宜変更しても良い。また、収納袋２２の材質は布を用いている。なお、この材質は布である必要はなく、合成繊維等で形成しても良い。また、防水性を有する材質のもので形成しても良い。【００１２】  この収納袋２２の上方には、紐挿通部２３が形成されており、この紐挿通部２３で開閉部２１を形成している。紐挿通部２３には、２本の紐２４，２５が挿通されており、この紐２４は、紐挿通部２３の一方の端２３ａの外部で瘤２４ａが形成されている。また、紐２５は、紐挿通部２３の他方の端２３ｂの外部で瘤２５ａが形成されている。これらの瘤２４ａ、２５ａの大きさは紐挿通部２３に侵入しない程度の大きさとなっている。これは、紐２４，２５が紐挿通部２３から抜けてしまわないためと、操作の容易性のためである。【００１３】  この紐２４，２５は同じ材質で同じ太さのものを用いており、その表面は滑り易い材料を使うことが好ましい。また、紐挿通部２３には、一本の紐２４（又は２５）が隙間なく３本挿入できる程度の内径（紐径の１．５倍程度）とすることが好ましい。このような寸法関係にすることにより、紐挿通部２３と、紐２４，２５の間に適度の抵抗を生じさせることができる。【００１４】  紐挿通部２３の一方の端２３ａ近傍には取手２６ａが取り付けられており、他方の端２３ｂの近傍にも取手２６ｂが取り付けられている。これらの取手２６ａ、２６ｂは、幅１ｃｍ、長さ２．５ｃｍの大きさであり、収納袋２２と同じ部材で形成されている。なお、この取手２６ａ、２６ｂとしては、帯状の紐等でも良く、掴み易い形状であれば良い。【００１５】  紐挿通部２３の一方の端２３ａと他方の端２３ｂの略中央に連結部２７の一端が装着されており、この連結部２７の他端には、狭着部２８が装着されている。連結部２７の材質は、自由に折り曲げができるのもが好ましく、紐２４，２５と同じ材質のものを用いている。また、開閉部２１から狭着部２８までの長さは、２ｃｍとしている。狭着部２８として本実施の形態では目玉クリップを用いている。なお、これはダブルックリップ等でも良く、狭着自在に被狭着部材を挟んで固定できるものであれば良い。【００１６】  ２２ａは、収納袋２２の下端の角に形成された小孔であり、収納袋２２に浸入した水等を排水するものである。【００１７】  この収納袋２２の前面にはキャラクタ等を描いても良い。更に、夜光塗料等を塗っておけば、夜間の目印とすることができる。【００１８】  図２は、開口した糞収納具２０の開閉部２１を上面から見た透視平面図である。図２に示すように、紐挿通部２３内に、輪形に形成された紐２４が挿通されている。この紐２４に形成された瘤２４ａは、紐挿通部２３の一方の端２３ａ側となっている。同様に、輪形に形成された紐２５が紐挿通部２３内に挿通されている。この紐２５に形成された���２５ａは、紐挿通部２３の他方の端２３ｂ側となっている。【００１９】  このように構成された開閉部２１を開口させるには、取手２６ａ、２６ｂを摘んで図２における左右方向（矢印２９ａ、２９ｂ方向）に引っ張ることで、容易に開口させることができる。このようにして形成された開口から犬の糞等の汚物を入れて収納する。【００２０】  汚物が収納されたら、図３に示すように、紐２４の瘤２４ａと、紐２５の瘤２５ａを摘んで、図３における左右方向（矢印２９ａ、２９ｂ方向）に引っ張る。この引っ張り操作により、開閉部２１を閉じることができる。そうすると、開閉部２１は閉じられるので、汚物が開閉部２１から毀れることはない。また、汚物特有の悪臭の流出を防止することができる。【００２１】  この状態にして、狭着部２８を図４に示すように、引き綱３０に狭着させる。この引き綱３０の一方の端は、犬３１の首輪３２に係着されており、散歩者３３は引き綱３０の他方に設けられた輪３０ａを持って散歩するものである。【００２２】  このように、糞収納具２０には、狭着自在に設けられた狭着部２８が装着されているので、引き綱３０のどの位置にでも自由に狭着させることができる。従って、例え、大人と子供のように背の高さが異なっていたとしても、散歩者３３が操作し易い位置に糞収納具２０を装着することができ、快適に犬３１を散歩させることができる。
（実施の形態２）【００２３】  図５は、実施の形態２における糞収納具４１の正面図である。なお、実施の形態１と同じものについては同符号を付して説明を簡略化している。【００２４】  図５において、４２は収納袋であり、材質及び大きさは収納袋２２と同じである。また、この収納袋４２の前面には、糞を包むビニール袋等が収納されるポケット４２ａが装着されている。従って、このポケット４２ａからビニール袋を取り出して、糞をビニール袋で採って包んだ後、収納袋４２内へ収納するものでる。【００２５】  この収納袋４２の上方には、紐挿通部４３が設けられており、この紐挿通部４３には、一本の紐４４が挿通されている。この紐４４の両端には、侵入防止部材４５ａ、４５ｂが夫々装着されている。この侵入防止部材４５ａ、４５ｂは、紐４４が紐挿通部４３内へ侵入することを防止するためのものである。また、この収納袋４２の開閉部４６を閉じるときには、この侵入防止部材４５ａ、４５ｂを引っ張ることにより閉じることができる。開閉部４６を閉じた後、紐４４を結んで開閉部４６の開放を防止する。【００２６】  この開閉部４６を開けるときには、開閉部４６に指を挿入するか或いは、紐挿通部４３の一方の端４３ａと他方の端４３ｂを摘んで両方に広げる（左右に引っ張る）。このことにより、開閉部４６を開口させることができる。【００２７】  ２７は、紐挿通部４３の一方の端４３ａと他方の端４３ｂの略中央に設けられた連結部であり、２８はこの連結部２７に装着された狭着部である。４３ｃ、４３ｄは、紐挿通部４３を形成するための縫い目であり、このように縫い目４３ｃ、４３ｄを紐挿通部４３の上下に形成することにより、紐４４と紐挿通部４３との間の摩擦抵抗を適度に保つことができる。また、この縫い目４３ｃ、４３ｄで連結部２７を共に固定しても良いし、連結部２７は、縫い目４３ｃ、４３ｄから独立して別に固定しても良い。なお、これは実施の形態１でも同様である。【００２８】  また、実施の形態１で用いた取手２６ａ、２６ｂを、縫い代４３ｃの直下の位置であって、紐挿通部４３の一方の端４３ａと他方の端４３ｂの近傍に夫々装着しても良い。この取手２６ａ、２６ｂを左右に引っ張ることにより、開閉部４６が開口する。【００２９】  （実施の形態３）
図６は、実施の形態３における糞収納具５１の正面図である。なお、実施の形態１と同じものについては同符号を付して説明を簡略化している。【００３０】  図６において、５２は収納袋であり、合成繊維で形成されている。その大きさは収納袋２２と同じである。また、この収納袋４２の前面には、実施の形態２と同様のポケットを設けても良いし、キャラクタ等を描いても良い。【００３１】  この収納袋５２の上方には、紐挿通部５３が設けられており、この紐挿通部５３には、一本の紐５４が挿通されている。この紐５４の両端は結ばれて輪を形成し、この輪の大きさを可変するとともに、固定できる紐止め部材５５が滑動自在に挿入されている。【００３２】  この紐止め部材５５の押圧部５５ａを押下すると、紐５４と紐止め部材５５との係合が解除される。従って、この状態にして、紐５４の輪を緩め開閉部５６を開口させる。また、押圧部５５ａの押圧を解除すると、紐止め部材５５は紐５４に係止される。従って、収納袋５２に汚物を収納した後、紐止め部材５５を滑動させながら紐５４を引っ張って、開閉部５６を閉じる。そして、紐挿通部５３の他方の端５３ｂ近傍で、紐止め部材５５を紐５４に係止させる。【００３３】  ２７は、紐挿通部５３の一方の端５３ａと他方の端５３ｂの略中央に設けられた連結部であり、２８はこの連結部２７に装着された装着部である。共に実施の形態１で用いたものと同じものである。【００３４】  （実施の形態４）
図７は、実施の形態４における糞収納具６１の斜視図である。なお、実施の形態１と同じものについては同符号を付して説明を簡略化している。【００３５】  図７において、６２は収納部であり、硬質部材で形成されている。従って、動物等を容易にデザイン化することもでき、散歩が楽しいものとなる。また、硬質部材で形成されているので、汚物の挿入・排出が容易であるとともに、汚物が変形することはない。【００３６】  材質としては、金属、合成樹脂、金網、木材等で形成することができる。金属を使用すれば散歩中に摩擦による静電気を生ずることはなく、快適な散歩ができる。合成樹脂を使用すれば、型を用いて色々な外形のものが容易に製造できる。また、量産も容易となる。金網を使用すれば、通気性が良いので、発酵して異臭を発生することを防止することができる。また、木材を用いれば、この木材に彫刻等を施して個性豊がなデザインにすることができる。【００３７】  また、硬質部材を用いることにより、その形状は、円筒形、三角形、四角形、多角形、印籠形等の形状を容易に実現することができる。本実施の形態においては、収納部６２の本体６２ａを円筒形とし、下方６２ｂを閉塞するとともに上方に布製の巾着部６２ｃを装着している。この巾着部６２ｃの他方に形成された開閉部６２ｄには、実施の形態１〜３に述べた紐挿通部６３を形成し、この紐挿通部６３に紐６４が挿通されている。この紐６４の両端を結んで瘤６４ａを形成し、輪形状にしている。従って、この紐６４が、瘤６４ａの作用で紐挿通部６３から抜け出ることはない。また、この紐６４に実施の形態３で示した紐止め部材５５を挿通することが好ましい。【００３８】  巾着部６２ｃは、布の他に、皮、シート状の合成樹脂等を使用しても良い。開閉部６２ｄでは、紐挿通部６３と紐６４を用いる代わりにファスナー、両面テープ、ボタン等を用いても良い。また、収納部６２に夜光塗料を塗布しても良い。そうすれば、夜の散歩が安全となる。【００３９】  ２７は、本体６２ａの上端に設けられた連結部であり、この連結部２７には狭着部２８が装着されている。この連結部２７は実施の形態１では紐を用いたが、紐の代わりにチェーン等を使用することもできる。【００４０】  また、狭着部２８に用いた目玉クリップの幅２８ａは、３ｃｍのものを用いており、目玉部２８ｂを押圧したとき、クリップ部２８ｃは最大１７ｍｍの開口をするものを用いている。従って、太さ１７ｍｍ以下の引き綱３０に狭着することができる。なお、この狭着部２８の大きさ等の形状は使用形態に合わせて適宜変更する。
【産業上の利用可能性】
【００４１】  本発明にかかる汚物収納具は、引き綱等の被狭着部に手を加える必要がないので、犬の散歩時等に使用する汚物収納具として使用することができる。
【図面の簡単な説明】
【００４２】
【図１】  本発明の実施の形態１における汚物収納具の正面図
【図２】  同、上方から見た透視平面図
【図３】  同、開閉部を閉じた状態における正面図
【図４】  同、使用状態の斜視図
【図５】  同、実施の形態２における汚物収納具の正面図
【図６】  同、実施の形態３における汚物収納具の正面図
【図７】  同、実施の形態４における汚物収納具の正面図
【図８】  従来の汚物収納具の斜視図
【図９】  同、使用状態の斜視図
【符号の説明】
【００４３】２０  汚物収納具
２１  開閉部
２２  収納袋
２７  連結部
２８  狭着部
【図１】
2007312755.tif 000003
【図２】
2007312755.tif 000004
【図３】
2007312755.tif 000005
【図４】
2007312755.tif 000006
【図５】
2007312755.tif 000007
【図６】
2007312755.tif 000008
【図７】
2007312755.tif 000009
【図８】
2007312755.tif 000010
【図９】
2007312755.tif 000011